(57)【要約】【課題】カートン本体に蓋体を被せる形状でカートン本体と蓋体とが連結された蓋付きカートンにおいて、開封が容易で、かつ再封時に蓋体がカートン本体にきちんとロックすることができ、偏平状のカートンにも適用できる蓋付きカートンを提供することにある。【解決手段】本発明は、前板、後板、両側板、底板からなる有底角筒状のカートン本体と、天板、両蓋側板、蓋前板からなる蓋体とから構成され、蓋体をカートン本体の上部外側に嵌合できるように後板の上辺に蓋体の天板を連設した蓋付きカートンにおいて、カートン本体の両側板の上辺に、側縁を係合部とした遊離係合片を連設し、蓋体の両蓋側板の側辺に連設した係止接着片をそれぞれ蓋前板の裏面に、天板との間に係止間隙を設けて接着し、蓋体をカートン本体に嵌合した時、遊離係合片と係止接着片とで係合可能としたことを特徴とする蓋付きカートンである。【選択図】図１
2005263282.tif 000002
【特許請求の範囲】
【請求項１】
前板、後板、両側板、底板からなる有底角筒状のカートン本体と、天板、両蓋側板、蓋前板からなる蓋体とから構成され、前記蓋体を前記カートン本体の上部外側に嵌合できるように前記後板の上辺に前記蓋体の前記天板を連設した蓋付きカートンにおいて、
前記カートン本体の前記両側板の上辺に、側縁を係合部とした遊離係合片を連設し、前記蓋体の前記両蓋側板の側辺に連設した係止接着片をそれぞれ前記蓋前板の裏面に、前記天板との間に係止間隙を設けて接着し、前記蓋体を前記カートン本体に嵌合した時、前記遊離係合片と前記係止接着片とで係合可能としたことを特徴とする蓋付きカートン。
【発明の詳細な説明】
【技術分野】
【０００１】
本発明は、菓子、食品等を収納するのに用いられる蓋付きカートンに関するものであり、詳しくは、係合機構を有する蓋付きカートンに関するものである。
【背景技術】
【０００２】
従来より、蓋付きカートンで再封機能を有するカートンは、種々の形態のものがある。例えば、代表的な形態として、図５に示す蓋付きカートンＰのように、遊離係合片３０がカートン本体１の前板１２に連設され、その遊離係合片３０が前板１２の外面側に折り曲げられ、蓋体２を被せた時に、蓋体２の蓋前板２２が遊離係合片３０でロックされる形態のものがある（例えば、特許文献１参照。）。
【特許文献１】実開昭６２−６２６２５号公報
【発明の開示】
【発明が解決しようとする課題】
【０００３】
しかしながら、上記の従来の再封機能の有するカートンでは、前板の外側に遊離係合片が折り曲げられる形状であり、開封時にカートン本体と蓋との間に間隙ができ、また、きちんと再封しないという問題がある。さらに、高さの低い偏平状のカートンに対しては適用することが難しかった。また、この遊離係合片を製函工程、充填包装工程で前板の表面側に折り返しておく必要があり、難しい加工工程となっていた。さらに、係合を正確にするためには、遊離係合片を前板の中央部に設ける必要があり、外観上見栄えが悪くなり、内容物を取り出しやすくするために開口部を広くする際に支障をきたしていた。
【０００４】
本発明は、カートン本体に蓋体を被せる形状でカートン本体と蓋体とが連結された蓋付きカートンにおいて、開封が容易で、かつ再封時に蓋体がカートン本体にきちんとロックすることができ、偏平状のカートンにも適用できる蓋付きカートンを提供することを目的とするものである。
【課題を解決するための手段】
【０００５】
上記の問題点を解決するため、本発明は、前板、後板、両側板、底板からなる有底角筒状のカートン本体と、天板、両蓋側板、蓋前板からなる蓋体とから構成され、前記蓋体を前記カートン本体の上部外側に嵌合できるように前記後板の上辺に前記蓋体の前記天板を連設した蓋付きカートンにおいて、前記カートン本体の前記両側板の上辺に、側縁を係合部とした遊離係合片を連設し、前記蓋体の前記両蓋側板の側辺に連設した係止接着片をそれぞれ前記蓋前板の裏面に、前記天板との間に係止間隙を設けて接着し、前記蓋体を前記カートン本体に嵌合した時、前記遊離係合片と前記係止接着片とで係合可能としたことを特徴とする蓋付きカートンである。
【発明の効果】
【０００６】
本発明によれば、カートン本体に蓋体を被せる形状でカートン本体と蓋体とが連結された蓋付きカートンにおいて、カートン本体の側板の上辺に遊離係合片を設け、その遊離係合片を内側へ折り曲げ、また、蓋前板の裏面に貼り合わされた係止接着片の上側に係止間隙を設けたことにより、カートン本体に蓋体を嵌合した時に、遊離係合片を係止接着片の上縁に係合させてカートン本体と蓋体とをロックすることができる。すなわち、開封が容易で、かつ再封時に蓋体がカートン本体にきちんとロックすることができ、偏平状のカートンにも適用できる蓋付きカートンを得ることができる。また、遊離係合片を前板に設けた形状に比べて、外観を損なうことがない。さらに、内容物を取り出しにおいて、開口部を広げるために前板に切り欠け等を設けて内容物を取り出しやすくすることができ、蓋体を開けた状態において、遊離係合片で内容物を保持するという効果を持たせることもできる。
【発明を実施するための最良の形態】
【０００７】
本発明の蓋付きカートンの実施の形態について以下に詳細に説明する。なお、異なる図の同一部位には同一の符号を付与している。
【０００８】
図１は、本発明の蓋付きカートンの一実施形態を示す斜視図である。蓋付きカートンＡは、カートン本体１と蓋体２とから構成されている。カートン本体１は、前板１１、後板１３、両側板１４、１４からなる胴部と、底板１２からなる底部とからなり、蓋体２は、天板２１と蓋前板２２、両蓋側板２３、２３からなり、カートン本体１と蓋体２とが、後板１３と天板２１との折れ線ｊで連結され、その折れ線ｊをヒンジとして蓋体２がカートン本体１の上部外側へ嵌合させることができる形態となっている。また、カートン本体１の側板１４、１４に連設した遊離係合片１７、１７の側縁の係合部１７ａ、１７ａが蓋体２の蓋前板２２の内面において係合する係合機構を有している。
【０００９】
図２は、本発明の蓋付きカートンＡのブランクを示す展開図であり、ブランク３Ａは、カートン本体１の部分と蓋体２の部分とが折れ線ｊ（ヒンジ）で連結されている。
【００１０】
カートン本体１の部分は、前板１１、底板１２、後板１３を折れ線ａ、ｂ、ｃを介して連設し、前板１１の左右側辺には折れ線ｃ、ｃを介して側板１４、１４を連設し、底板１２の左右側辺には折れ線ｅ、ｅを介して折り込み片１６，１６を連設し、後板１３の左右側辺には折れ線ｄ、ｄを介して側板１５、１５を連設し、その両側板１４、１４の上辺にはそれぞれ折れ線ｆ、ｆを介して遊離係合片１７、１７を連設している。この遊離係合片１７、１７は、側板１４、１４に折り曲げ自由に連設されており、形状は、四辺形、角丸四辺形、三角形等とすることができ、内側の側辺は、前板１１と両側板１４、１４の折れ線ｃ、ｃの延長線より外側に膨らんだ形状とし、その膨らんだ部分を係合部１７ａ、１７ａとしている。その係合部１７ａ、１７ａの最大幅は１〜２ｍｍの範囲とすることが好ましい。
【００１１】
また、蓋体２の部分は、天板２１に折れ線ｇを介して蓋前板２２を連設し、天板２１の左右側辺に折れ線ｈ、ｈを介して蓋側板２３、２３を連設し、その両蓋側板２３、２３の下辺にはそれぞれ折れ線ｉ、ｉを介して係止接着片２４、２４を連設している。この係止接着片２４、２４の内側の側辺と、天板２１と両蓋側板２３、２３の折れ線ｈ、ｈの延長線との間には間隙を有する形状としている。この間隙の幅は１〜２ｍｍの範囲とすることが好ましい。
【００１２】
そして、蓋体２がカートン本体１の胴部の上部外側へ嵌合させることができるように、後板１３の端辺に天板２１を折れ線ｊ（ヒンジ）を介して連設し、カートン本体１の部分と蓋体２の部分を連結している。
【００１３】
さらに、内容物を収納した後には、内容物の保護およびバージン性の付与のために、カートン本体１に蓋体２を嵌合し、カートン本体１の前板１１に蓋体２の蓋前板２２を接着する。本実施例では、この接着は、蓋体２をカートン本体１から開封しやすいように、蓋体２の蓋前板２２から突出した部分接着部２２ａを切れ目線ｋで設け、この部分接着部２２ａとカートン本体１の前板１１とで接着し、開封時に切れ線ｋを破り、部分接着部２２ａをカートン本体１の前板１１に切り残してカートン本体１から蓋体２を開封できる形状としている。
【００１４】
また、蓋前板２２をカートン本体１に接着する形態は、本実施例の形状以外に、図３−ａに示すような蓋付きカートンＢのように、蓋前板２２の横中央部にジッパーｚを設け、このジッパーｚの外側の部分接着部２２ｂでカートン本体１の前板１１と接着し、開封時にジッパーｚを破り、部分接着部２２ｂをカートン本体１の前板１１に切り残してカートン本体１から蓋体２を開封できる形状、図３−ｂに示すような蓋付きカートンＣのように、蓋体２をカートン本体１から開封しやすいように、カートン本体１の前板１１の上縁中央部を部分接着部１１ａとして切れ目線ｌで切り取り可能に設け、この部分接着部１１ａでカートン本体１の前板１１と蓋体２の蓋前板２２を接着し、開封時に切れ線ｌで前板１１の部分接着部１１ａを破り、カートン本体１から蓋体２を開封できる形状等とすることができる。
【００１５】
さらに、本発明の蓋付きカートンにおいては、蓋体２を嵌合した後に、内容物の保護およびバージン性の付与のために、全体をフィルム等で包装するか、あるいは、カートン本体１の前板１１に蓋体２の蓋前板２２をシールで封止する等の方法を用いることができる。
【００１６】
つぎに、図２に示したブランク３から本発明の蓋付きカートンＡを組立てる工程について、一例を図を用いて説明する。
【００１７】
まず、図４−ａに示すように、ブランク３のカートン本体１の部分の後板１３上に内容物４を載置し、つぎに、図４−ｂに示すように、後板１３に対して直角に底板１２を起こし、折り込み片１６、１６をそれぞれ内側に折り込み、そして、図４−ｃに示すように、側内板１５、１５を直角に起こす。ついで、前板１１を内側に折り曲げて内容物４の上に被せ、前板１１に対して直角に側板１４、１４を下方に折り曲げて側内板１５、１５と接着してから、図４−ｄに示すように、遊離係合片１７、１７を内側に直角に折り曲げる。さらに、図４−ｅに示すように、天板２１を内側に折り曲げ、蓋側板２３、２３も内側に直角に折り曲げ、それぞれの係止接着片２４、２４を内側に折り曲げ、最後に、蓋前板２２を内側に折り曲げて係止接着片２４、２４と接着すると共に、蓋前板２２の接着部２２ａを前板１１に接着することによりカートン本体１に蓋体２を被せた状態の蓋付きカートンＡを形成することができる。
【００１８】
上記の方法以外にも、予めカートン本体１を組み立てておき、開口部から内容物を挿入して収納した後、蓋体２組み立てててカートン本体１被せて蓋付きカートンＡを形成することもできる。
【００１９】
このような蓋付きカートンＡにおいて、蓋体２を、後板１３の上部の折れ線ｊをヒンジとして回動させることにより、カートン本体１の上方開放部を開閉させる。そして、蓋体２は、カートン本体１の上部外側へ嵌合することができる。
【００２０】
また、蓋前板２２の裏面に貼り合わされた係止接着片２４、２４の上端と天板２１との間には係止間隙２５を設け、カートン本体１の側板１４、１４の上端から延び、かつ、内側へ折り曲げた両側辺に係合部１７ａ、１７ａを有する遊離係合片１７、１７を設けたことを特徴とする蓋付きカートンである。すなわち、遊離係合片１７、１７を内側に向けて折り曲げ、遊離係合片１７、１７の係合部１７ａ、１７ａを係止接着片２４、２４の上縁に係合させてカートン本体１と蓋体２とをロックすることができる。
【００２１】
具体的には、蓋体２をカートン本体１の上部に嵌合させていくと、蓋前板２２の裏面に貼り合わされている係止接着片２４、２４がカートン本体１の側板１４、１４に連設した遊離係合片１７、１７の両端の係合部１７ａ、１７ａに接し、これに抗して下降し、係合部１７ａ、１７ａが係止接着片２４、２４の上縁に達すると、遊離係合片１７、１７は、係止間隙２５内にわずかに復元して、係止接着片２４、２４の上端辺に係合する。
【００２２】
カートン本体１から蓋体２を開封する場合には、遊離係合片１７、１７と係止接着片２４、２４との係合力に抗して蓋体２を引き上げると、遊離係合片１７、１７の係合部１７ａ、１７ａと係止接着片２４、２４との係合が外れ、蓋体２をカートン本体１から外すことができる。
【図面の簡単な説明】
【００２３】
【図１】本発明の蓋付きカートンの一実施形態を示す斜視図である。
【図２】本発明の蓋付きカートンの一実施形態のブランクを示す展開図である。
【図３】本発明の蓋付きカートンの前板と蓋前板の形状の異なる例を示す斜視図である。
【図４】本発明の蓋付きカートンを組み立てて内容物を充填包装する工程を示す図である。
【図５】従来の蓋付きカートンの斜視図である。
【符号の説明】
【００２４】
Ａ    蓋付きカートン（一実施形態）
Ｂ    蓋付きカートン（別の実施形態）
Ｃ    蓋付きカートン（さらに別の実施形態）
Ｐ    蓋付きカートン（従来の一例）
１    カートン本体
１１    前板
１２    底板
１３    後板
１４    側板
１５    側内板
１６    折り込み片
１７    遊離係合片
１７ａ  係合部
２    蓋体
２１    天板
２２    蓋前板
２３    蓋側板
２４    係止接着片
２５    係止間隙
ａ〜ｉ    折れ線
ｊ    折れ線（ヒンジ）
ｋ    切れ目線
ｌ    切れ目線
ｚ    ジッパー
３    ブランク
４    内容物
【図１】
2005263282.tif 000003
【図２】
2005263282.tif 000004
【図３】
2005263282.tif 000005
【図４】
2005263282.tif 000006
【図５】
2005263282.tif 000007